(57)【要約】      （修正有）【課題】十分な立体感を持った装飾を視覚的に楽しむことのできるコースターを提供する。【解決手段】合成樹脂製であり上面に細長い長方形形状の孔部２１を有するコースター本体２と、下部に孔部２１に嵌合する突起部３１を有する装飾体３とを備えたコースター１を提供する。装飾体３を、人物、花木等の上下方向に伸びるものを摸したものとすると、立体感を十分に得ることができる。また、装飾体３にストラップをつけて携帯電話等の装飾にも用いることもできる。【選択図】図２
0003219010.tif 000002
【実用新案登録請求の範囲】
【請求項１】
コースター本体と、装飾体とを備え、
前記コースター本体は、合成樹脂製であり、上面に細長い長方形形状の孔部を有し、
前記装飾体は、下部に前記孔部に嵌合する突起部を有することを特徴とする、コースター。
【請求項２】
前記孔部は、前記コースター本体の中央に設けられていることを特徴とする、請求項１に記載のコースター。
【請求項３】
前記孔部は、前記コースター本体の周縁部に設けられていることを特徴とする、請求項１に記載のコースター。
【請求項４】
前記装飾体は、平板形状であることを特徴とする、請求項１〜３のいずれか１項に記載のコースター。
【請求項５】
前記装飾体は、上下方向に伸びるものを模しており、前記突起部を下方向とすることを特徴とする、請求項１〜４のいずれか１項に記載のコースター。
【請求項６】
前記装飾体は、上部にストラップを有することを特徴とする、請求項１〜５のいずれか１項に記載のコースター。
【考案の詳細な説明】
【技術分野】
【０００１】
本考案は、コースターに関する。
【背景技術】
【０００２】
飲み物の入ったコップ等を載置するためのコースターが広く用いられている。テーブル上の一定の場所にコップ等を置くこととなり、飲む際に有用である。
【０００３】
しかし、従来のコースターは、必ずしも装飾性の高いものではなく、飲み物を飲みながら視覚的に楽しむことはあまりできなかった。
【０００４】
この点、特許文献１、２には、装飾の施されたコースターが開示されている。しかし、装飾が平面的であり、立体感を持った装飾とはならない。特許文献２は装飾物に高さを持たせているが、コップ等に比して低いものであり、十分な立体感が得られるものではない。
【先行技術文献】
【特許文献】
【０００５】
【特許文献１】特開２００７−１１７２２３号公報
【特許文献２】特開２００６−１４２７９５号公報
【考案の概要】
【考案が解決しようとする課題】
【０００６】
本考案は、十分な立体感を持った装飾を視覚的に楽しむことのできるコースターを提供することを課題とする。
【課題を解決するための手段】
【０００７】
本考案のコースターは、
コースター本体と、装飾体とを備え、
前記コースター本体は、合成樹脂製であり、上面に細長い長方形形状の孔部を有し、
前記装飾体は、下部に前記孔部に嵌合する突起部を有することを特徴とする。
【０００８】
この特徴によれば、コースター本体に装飾体を取り付けて楽しむことができる。装飾体は、上下方向に長いものとして、十分な立体感を持った装飾を実現できる。また、コースター本体を合成樹脂製とすることで、食卓との間に適度の摩擦が発生し、安定する。
【０００９】
本考案のコースターは、
前記孔部は、前記コースター本体の中央に設けられていることを特徴とする。
【００１０】
この特徴によれば、コースター本体にコップ等を置かない時に、装飾体を取り付けて、装飾用置物として楽しむことができる。
【００１１】
本考案のコースターは、
前記孔部は、前記コースター本体の周縁部に設けられていることを特徴とする。
【００１２】
この特徴によれば、コースター本体にコップ等を置く時に、装飾を楽しむことができる。
【００１３】
本考案のコースターは、
前記装飾体は、平板形状であることを特徴とする。
【００１４】
この特徴によれば、装飾体の体積が小さく、コースター本体にコップ等を置くことが容易である。
【００１５】
本考案のコースターは、
前記装飾体は、上下方向に伸びるものを模しており、前記突起部を下方向とすることを特徴とする。
【００１６】
この特徴によれば、自然な装飾を実現することができる。ここで「上下方向に伸びるもの」とは、例えば、人物（頭が上側、足が下側）、花木（花が上側、根（又は茎の下端）が下側）のように、通常は一定の上下方向に向いているものを言う。
【００１７】
本考案のコースターは、
前記装飾体は、上部にストラップを有することを特徴とする。
【００１８】
この特徴によれば、装飾体をコースター本体から取り外した時に、携帯電話機等に取付けて使用することができる。
【考案の効果】
【００１９】
本考案によれば、十分な立体感を持った装飾を視覚的に楽しむことのできるコースターを提供することができる。
【図面の簡単な説明】
【００２０】
【図１】図１は、コースター本体及び装飾体を示す図である（実施例１）。
【図２】図２は、コースターを示す図である。（実施例１）
【図３】図３は、コースター本体を示す図である。（実施例２）
【図４】図４は、装飾体を示す図である。（実施例３）
【考案を実施するための形態】
【００２１】
以下、本考案の実施例を図面を参照して説明する。
【実施例１】
【００２２】
図１は、コースター本体及び装飾体を示す図である。コースター１は、コースター本体２及び装飾体３から構成される。
【００２３】
図１（Ａ）は、コースター本体２を示す。コースター本体２は、平板状であり、孔部２１を有する。孔部２１は、細長い長方形状であり、コースター本体２の中央に設けられている。なお、後述の実施例２に示すように、中央以外の箇所に孔部２１を有してもよい。また、図ではコースター本体２を円盤形状としたが、他の形状、例えば上面視正方形の板状であってもよい。また、コースター本体２は、合成樹脂製であり、食卓との間に適度の摩擦が発生し、安定する。
【００２４】
図１（Ｂ）は、装飾体３を示す。装飾体３は、平板状であり、下方に突起部３１を有する。突起部３１は、孔部２１に嵌合するものである。突起部３１を孔部２１に嵌合することで、装飾体３は、コースター本体２の上に直立する。
【００２５】
装飾体３には、人物が描かれている。ただし、人物以外のものを描いてもよい。装飾体３が直立するので、上下方向に伸びるもの（人物、動物、花木、建築物、その他通常は一定の上下方向に向いているもの）を描いて、上下方向を合わせ、立体感のある自然な装飾とすることができる。
【００２６】
なお、装飾体３は、必ずしも平板状でなくともよい。突起部３１が孔部２１に嵌合する形状であれば、他の部分の形状は任意に設計することができる。例えば、人物を描くことに替えて装飾体３の形状を人形のように人物を模した形状としてもよい。（本明細書においては、何かの形状を模した場合、何かを平板に描いた場合、その他何かを想起させるものを全て、何かを「模した」と言う。）
【００２７】
図２は、コースターを示す図である。装飾体３の突起部３１を、コースター本体２の孔部２１に嵌合することで、コースター１が形成される。なお、装飾体３を用いないコースター本体２のみでもコースターとして使用することができる。
【００２８】
図２（Ａ）は、突起部３１と孔部２１との嵌合を示す。図において破線で示したように、孔部２１に略同大の突起部３１が嵌合され、孔部２１の周縁と突起部３１との係合によって、装飾体３がコースター本体２の上に直立して支持される。
【００２９】
なお、図では孔部２１がコースター本体２の底面に達せず表面側のみに存在するが、底面に達してコースター本体２を貫通していてもよい。その場合、突起部３１は孔部２１の全体でなく表面側の一部のみと嵌合してもよい。
【００３０】
図２（Ｂ）は、コースター１の例を示す斜視図である。このように、カーテンコースター本体２の表面にも装飾を施してよい。
【００３１】
以上詳細に説明したように、本実施例のコースター１は、装飾体３の突起部３１をコースター本体２の孔部２１に嵌合することで、十分な立体感を持った装飾を視覚的に楽しむことのできるコースター１が形成される。
【実施例２】
【００３２】
本実施例は、コースター本体２における孔部２１の位置のみが実施例１と相違するものである。他は実施例１と同様であり、詳細な説明を省略する。
【００３３】
図３は、コースター本体を示す図である。孔部２１は、実施例１と相違してコースター本体２の周縁に設けられている。
【００３４】
突起部３１が孔部２１に嵌合した時、装飾体３が平板状であれば、コースター本体２の上に載置されるコップ等に装飾体３が接触しないようになる。装飾体３による装飾を楽しみつつ、コースター本体２にコップ等を載置することができる。
【００３５】
以上説明したように、本実施例のコースター１は、装飾体３を付した状態のままで、コースター本体２にコップ等を載置して利用することができる。
【実施例３】
【００３６】
本実施例は、装飾体３のバリエーションを示すものである。他は実施例１、２と同様であり、詳細な説明を省略する。
【００３７】
図４は、装飾体を示す図である。装飾体３は、実施例１（図１（Ｂ））で示したものに加え、ストラップ３２を有する。
【００３８】
ストラップ３２は、装飾体３をコースター本体２に付した時には、特段の作用を有さない。装飾体３をコースター本体２から外した時に、例えば携帯電話機に装飾体３を付するためのものである。
【００３９】
ユーザは、装飾体３のデザインを好む場合に、装飾体３を、携帯電話機等に付して利用するとともに、コースター本体２に付して利用することができる。
【００４０】
以上説明したように、本実施例のコースター１は、装飾体３を、携帯電話機等にもコースター本体２にも付して利用することができる。
【産業上の利用可能性】
【００４１】
十分な立体感を持った装飾を視覚的に楽しむことのできるコースターである。多くの個人による利用が考えられる。
【符号の説明】
【００４２】
１    コースター
２    コースター本体
２１  孔部
３    装飾体
３１  突起部
３２  ストラップ
【図１】
0003219010.tif 000003
【図２】
0003219010.tif 000004
【図３】
0003219010.tif 000005
【図４】
0003219010.tif 000006